【手続補正書】
【提出日】平成27年9月16日(2015.9.16)
【手続補正１】
【補正対象書類名】特許請求の範囲
【補正対象項目名】全文
【補正方法】変更
【補正の内容】
【特許請求の範囲】
【請求項１】
操作者を撮像して、当該操作者の映像を示す映像信号を生成する撮像部と、
前記撮像部で生成された映像信号で示される映像から、前記操作者の特定部位の動きを、予め定められた２次元座標上での動きベクトルとして検出する対象部位位置検出部と、
前記対象部位位置検出部で検出された動きベクトルで示される方向及び速さを、マウスが動いた方向及び速さに変換して、前記マウスが動いた際のマウスイベントを生成するマウスイベント変換部と、
前記マウスイベント変換部で生成されたマウスイベントに従って、グラフィカルユーザインタフェースの画面を表示する表示部と、を備えること
を特徴とする制御装置。
【請求項２】
前記マウスイベント変換部は、前記対象部位位置検出部で検出された動きベクトルに基づいて、前記操作者の特定部位が静止状態から動き出した時点において前記対象部位位置検出部で検出された動きベクトルで特定される方向を、前記マウスが動いた方向とし、当該時点以降において前記対象部位位置検出部で検出された動きベクトルで特定される速さに対応する速さを、前記マウスが動いた速さとすること
を特徴とする請求項１に記載の制御装置。
【請求項３】
前記マウスイベント変換部は、前記対象部位位置検出部で検出された動きベクトルで特定される方向が、予め定められた時間内において、予め定められた角度以上変化した場合には、当該変化後の動きベクトルに基づくマウスイベントの生成を行わないこと
を特徴とする請求項１又は２に記載の制御装置。
【請求項４】
前記マウスイベント変換部は、前記対象部位位置検出部で検出された動きベクトルで示される速さが速いほど、前記対象部位位置検出部で検出された動きベクトルで示される単位移動量当たりの、ポインタの移動量がより大きくなるように、前記マウスイベントを生成すること
を特徴とする請求項１から３の何れか一項に記載の制御装置。
【請求項５】
音声を取得する集音部と、
前記集音部で取得された音声から言語を認識して、当該認識された言語の文字列を示す文字列データを生成する音声認識部と、をさらに備え、
前記マウスイベント変換部は、前記音声認識部で生成された文字列データで示される文字列が予め定められた文字列である場合に、前記音声認識部で生成された文字列データで示される文字列に対応するマウスイベントを生成すること
を特徴とする請求項１から４の何れか一項に記載の制御装置。
【請求項６】
前記音声認識部で生成された文字列データで示される文字列が予め定められた文字列ではない場合に、前記音声認識部で生成された文字列データで示される文字列がキーボードで入力された場合のキーボードイベントを生成するキーボードイベント変換部をさらに備え、
前記表示部は、前記マウスイベント変換部で生成されたマウスイベント及び前記キーボードイベント変換部で生成されたキーボードイベントに従って、グラフィカルユーザインタフェースの画面を表示すること
を特徴とする請求項５に記載の制御装置。
【請求項７】
前記マウスイベント変換部で生成されたマウスイベントに従って、グラフィカルユーザインタフェースを生成するグラフィカルユーザインタフェース生成部をさらに備え、
前記表示部は、前記グラフィカルユーザインタフェース生成部で生成されたグラフィカルユーザインタフェースの画面を表示すること
を特徴とする請求項１から５の何れか一項に記載の制御装置。
【請求項８】
前記マウスイベント変換部で生成されたマウスイベント及び前記キーボードイベント変換部で生成されたキーボードイベントに従って、グラフィカルユーザインタフェースを生成するグラフィカルユーザインタフェース生成部をさらに備え、
前記表示部は、前記グラフィカルユーザインタフェース生成部で生成されたグラフィカルユーザインタフェースの画面を表示すること
を特徴とする請求項６に記載の制御装置。
【請求項９】
制御対象装置と通信する通信部と、
前記マウスイベント変換部で生成されたマウスイベントを、前記通信部を介して、前記制御対象装置に送信するとともに、当該送信されたマウスイベントに従って、前記制御対象装置で生成されたグラフィカルユーザインタフェースを、前記通信部を介して受信するグラフィカルユーザインタフェース処理部と、をさらに備え、
前記表示部は、前記グラフィカルユーザインタフェース処理部で受信されたグラフィカルユーザインタフェースの画面を表示すること
を特徴とする請求項１から５の何れか一項に記載の制御装置。
【請求項１０】
制御対象装置と通信する通信部と、
前記マウスイベント変換部で生成されたマウスイベント及び前記キーボードイベント変換部で生成されたキーボードイベントを、前記通信部を介して、前記制御対象装置に送信するとともに、当該送信されたマウスイベント及びキーボードイベントに従って、前記制御対象装置で生成されたグラフィカルユーザインタフェースを、前記通信部を介して受信するグラフィカルユーザインタフェース処理部と、をさらに備え、
前記表示部は、前記グラフィカルユーザインタフェース処理部で受信されたグラフィカルユーザインタフェースの画面を表示すること
を特徴とする請求項６に記載の制御装置。
【請求項１１】
前記グラフィカルユーザインタフェース処理部は、ＶＮＣのクライアント又はＸ−ＷｉｎｄｏｗのＸサーバーに対応したものであること
を特徴とする請求項９又は１０に記載の制御装置。
【請求項１２】
操作者を撮像して、当該操作者の映像を示す映像信号を生成する撮像過程と、
前記撮像過程で生成された映像信号で示される映像から、前記操作者の特定部位の動きを、予め定められた２次元座標上での動きベクトルとして検出する対象部位位置検出過程と、
前記対象部位位置検出過程で検出された動きベクトルで示される方向及び速さを、マウスが動いた方向及び速さに変換して、前記マウスが動いた際のマウスイベントを生成するマウスイベント変換過程と、
前記マウスイベント変換過程で生成されたマウスイベントに従って、グラフィカルユーザインタフェースの画面を表示する表示過程と、を有すること
を特徴とする制御方法。
【手続補正２】
【補正対象書類名】明細書
【補正対象項目名】０００７
【補正方法】変更
【補正の内容】
【０００７】
本発明の一態様に係る制御装置は、操作者を撮像して、当該操作者の映像を示す映像信号を生成する撮像部と、前記撮像部で生成された映像信号で示される映像から、前記操作者の特定部位の動きを、予め定められた２次元座標上での動きベクトルとして検出する対象部位位置検出部と、前記対象部位位置検出部で検出された動きベクトルで示される方向及び速さを、マウスが動いた方向及び速さに変換して、前記マウスが動いた際のマウスイベントを生成するマウスイベント変換部と、前記マウスイベント変換部で生成されたマウスイベントに従って、グラフィカルユーザインタフェースの画面を表示する表示部と、を備えることを特徴とする。
【手続補正３】
【補正対象書類名】明細書
【補正対象項目名】０００８
【補正方法】変更
【補正の内容】
【０００８】
本発明の一態様に係る制御方法は、操作者を撮像して、当該操作者の映像を示す映像信号を生成する撮像過程と、前記撮像過程で生成された映像信号で示される映像から、前記操作者の特定部位の動きを、予め定められた２次元座標上での動きベクトルとして検出する対象部位位置検出過程と、前記対象部位位置検出過程で検出された動きベクトルで示される方向及び速さを、マウスが動いた方向及び速さに変換して、前記マウスが動いた際のマウスイベントを生成するマウスイベント変換過程と、前記マウスイベント変換過程で生成されたマウスイベントに従って、グラフィカルユーザインタフェースの画面を表示する表示過程と、を有することを特徴とする。